(57)【特許請求の範囲】
【請求項１】
第１の種類のイヤホンマイクと第２の種類のイヤホンマイクとのいずれかのプラグを受け付ける受付手段と、
前記第１の種類のイヤホンマイクと前記第２の種類のイヤホンマイクとのいずれが受け付けられたかを検出する検出手段と、
前記検出されたイヤホンマイクの種類に応じて、前記受付手段が有する複数の接点のうち接地する接点を切り換える切換手段と、を備えた電子機器。
【請求項２】
前記検出手段は、前記複数の接点のうち接地されていない接点に電圧を印加する電圧印加手段と、
前記電圧が印加された接点の電圧を検出する電圧検出手段と、
前記電圧が印加された接点を流れる電流を検出する電流検出手段と、を含む請求項１に記載の電子機器。
【請求項３】
前記検出手段は、前記複数の接点のうち前記第１の種類のイヤホンマイクが受け付けられる場合にスピーカと接続される接点と、前記第２の種類のイヤホンマイクが受け付けられる場合にスピーカと接続される接点とを接地する接地手段を、さらに含む請求項２に記載の電子機器。
【請求項４】
前記切換手段は、前記検出手段により前記第１の種類のイヤホンマイクが受け付けられたことが検出された場合、前記第２の種類のイヤホンマイクが受け付けられる場合にスピーカと接続される接点を接地し、前記検出手段により前記第２の種類のイヤホンマイクが受け付けられたことが検出された場合、前記第１の種類のイヤホンマイクが受け付けられる場合にスピーカと接続される接点を接地する、請求項１〜３のいずれかに記載の電子機器。
【請求項５】
イヤホンマイクのプラグを受け付ける受付手段と、
前記受付手段が有する複数の接点のうち接地されていない接点に電圧を印加する電圧印加手段と、
前記電圧が印加された接点の電圧を検出する電圧検出手段と、
前記電圧が印加された接点を流れる電流を検出する電流検出手段と、
前記電圧検出手段および前記電流検出手段による検出結果に基づいて、第１の種類のイヤホンマイクと第２の種類のイヤホンマイクとのいずれが受け付けられたかを判定する判定手段と、を備えた電子機器。
【請求項６】
前記複数の接点のうち前記第１の種類のイヤホンマイクが受け付けられる場合にスピーカと接続される接点と、前記第２の種類のイヤホンマイクが受け付けられる場合にスピーカと接続される接点とを接地する接地手段を、さらに備えた請求項５に記載の電子機器。
【発明の詳細な説明】
【技術分野】
【０００１】
この発明は電子機器に関し、特にイヤホンマイクを装着可能な電子機器に関する。
【背景技術】
【０００２】
従来、携帯電話機等の電子機器において、ＰＴＴ（Ｐｕｓｈ  Ｔｏ  Ｔａｌｋ）ボタンを備えたイヤホンマイク（以下「ＰＴＴイヤホンマイク）と、ＰＴＴボタンを備えていないイヤホンマイクとの両方が装着可能となっている。ＰＴＴイヤホンマイクのプラグは、ＰＴＴボタン用ピンを有する点で、それを有しないイヤホンマイクのプラグと異なるが、ＰＴＴボタン用ピンを除いたプラグの形状はＰＴＴイヤホンマイクプラグとイヤホンマイクとで同じである。一方、ＰＴＴイヤホンマイクとイヤホンマイクそれぞれのプラグは接点の配列が異なる場合がある。例えば、プラグのグランドの位置と右イヤホンに入力される右音声信号（Ｒ信号）または左イヤホンに入力されるＬ音声信号（Ｌ信号）が入れ違いで異なる場合がある。
【０００３】
このため、携帯電話機に、ＰＴＴイヤホンマイクのプラグが装着されるジャックと、イヤホンマイクのプラグが装着されるジャクとを別々に設け、回路を複数設けなければならないといった問題があった。
【０００４】
一方、ＰＴＴイヤホンマイクのプラグとイヤホンマイクのプラグとのいずれをも装着可能な１つのジャックを設けることが考えられるが、イヤホンマイクのプラグとＰＴＴイヤホンマイクのプラグのいずれが装着されたのかを判別する必要がある。
【０００５】
特開２００２−１４１９８０号公報には、ステレオヘッドホン用プラグとイヤホンマイク用プラグのいずれであるかを、イヤホンマイクのインピーダンスとステレオヘッドホンのインピーダンスとが大きく異なる点を利用し、判別する方法が記載されている。しかしながら、ステレオヘッドホンに直流電圧が印加されるので、電圧の印加が想定されていないステレオヘッドホンにダメージを与える恐れがあり、最悪の場合は破壊してしまうことが考えられる。したがって、プラグのグランドを予め定めてプラグが挿入されたことを検出する従来の判別方法を用いることができないといった問題がある。
【特許文献１】特開２００２−１４１９８０号公報
【発明の開示】
【発明が解決しようとする課題】
【０００６】
この発明は上述した問題点を解決するためになされたもので、この発明の目的の一つは、複数種類のイヤホンマイクのプラグを装着可能な電子機器を提供することである。
【０００７】
この発明の他の目的は、複数種類のイヤホンマイクのいずれが接続されたかを判別することが可能な電子機器を提供することである。
【課題を解決するための手段】
【０００８】
上述した目的を達成するために、この発明のある局面によれば、電子機器は、第１の種類のイヤホンマイクと第２の種類のイヤホンマイクとのいずれかのプラグを受け付ける受付手段と、第１の種類のイヤホンマイクと第２の種類のイヤホンマイクとのいずれが受け付けられたかを検出する検出手段と、検出されたイヤホンマイクの種類に応じて、受付手段が有する複数の接点のうち接地する接点を切り換える切換手段と、を備える。
【０００９】
この局面に従えば、検出されたイヤホンマイクの種類に応じて、複数の接点のうち接地する接点が切り換えられる。このため、複数種類のイヤホンマイクのプラグを装着可能な電子機器を提供することができる。
【００１０】
好ましくは、検出手段は、複数の接点のうち接地されていない接点に電圧を印加する電圧印加手段と、電圧が印加された接点の電圧を検出する電圧検出手段と、電圧が印加された接点を流れる電流を検出する電流検出手段と、を含む。
【００１１】
この局面に従えば、複数の接点のうち接地されていない接点に電圧が印加され、電圧が印加された接点の電圧と電流とが検出される。このため、電圧を検出することによりイヤホンマイクが受け付けられたことを検出することができ、また、電圧が印加される接点が接地される場合であっても電流を検出することによりイヤホンマイクが受け付けられたことを検出することができる。
【００１２】
好ましくは、検出手段は、複数の接点のうち第１の種類のイヤホンマイクが受け付けられる場合にスピーカと接続される接点と、第２の種類のイヤホンマイクが受け付けられる場合にスピーカと接続される接点とを接地する接地手段を、さらに含む。
【００１３】
この局面に従えば、複数の接点のうち第１の種類のイヤホンマイクが受け付けられる場合にスピーカと接続される接点と、第２の種類のイヤホンマイクが受け付けられる場合にスピーカと接続される接点とを接地する。このため、第１の種類のイヤホンマイクおよび第２の種類のイヤホンマイクそれぞれが有するスピーカーに電流が流れないので、第１の種類のイヤホンマイクおよび第２の種類のイヤホンマイクが故障するのを防止することができる。
【００１４】
好ましくは、切換手段は、検出手段により第１の種類のイヤホンマイクが受け付けられたことが検出された場合、第２の種類のイヤホンマイクが受け付けられる場合にスピーカと接続される接点を接地し、検出手段により第２の種類のイヤホンマイクが受け付けられたたことが検出された場合、第１の種類のイヤホンマイクが受け付けられる場合にスピーカと接続される接点を接地する。
【００１５】
この発明のこの局面によれば、電子機器は、イヤホンマイクのプラグを受け付ける受付手段と、受付手段が有する複数の接点のうち接地されていない接点に電圧を印加する電圧印加手段と、電圧が印加された接点の電圧を検出する電圧検出手段と、電圧が印加された接点を流れる電流を検出する電流検出手段と、電圧検出手段および電流検出手段による検出結果に基づいて、第１の種類のイヤホンマイクと第２の種類のイヤホンマイクとのいずれが受け付けられたかを判定する判定手段と、を備える。
【００１６】
この局面に従えば、複数の接点のうち接地されていない接点に電圧が印加され、電圧が印加された接点の電圧と電流とが検出され、検出結果に基づいて、第１の種類のイヤホンマイクと第２の種類のイヤホンマイクとのいずれが受け付けられたかが判定される。このため、電圧を印加した接点が接地される場合であっても電流を検出することによりイヤホンマイクが受け付けられたことを検出することができる。また、接地される接点の違いからイヤホンマイクの種類を判別することができる。その結果、複数種類のイヤホンマイクのいずれが接続されたかを判別可能な電子機器を提供することができる。
【００１７】
好ましくは、複数の接点のうち第１の種類のイヤホンマイクが受け付けられる場合にスピーカと接続される接点と、第２の種類のイヤホンマイクが受け付けられる場合にスピーカと接続される接点とを接地する接地手段を、さらに備える。
【００１８】
この局面に従えば、第１の種類のイヤホンマイクが受け付けられる場合にスピーカと接続される接点と、第２の種類のイヤホンマイクが受け付けられる場合にスピーカと接続される接点とが接地される。このため、第１の種類のイヤホンマイクおよび第２の種類のイヤホンマイクそれぞれが有するスピーカーに電流が流れないので、第１の種類のイヤホンマイクおよび第２の種類のイヤホンマイクが故障するのを防止することができる。
【発明を実施するための最良の形態】
【００１９】
以下、本発明の実施の形態について図面を参照して説明する。以下の説明では同一の部材には同一の符号を付してある。それらの名称および機能も同じである。したがってそれらについての詳細な説明は繰返さない。
【００２０】
図１は、本発明の実施の形態の１つにおける携帯電話機の外観を示す斜視図である。図１（Ａ）は、オープンスタイルの状態にある携帯電話機１の外観を示し、図１（Ｂ）はクローズスタイルの状態にある携帯電話機１の外観を示す。図１（Ａ）および図１（Ｂ）を参照して、携帯電話機１は、操作側部３と、表示側部２とを含む。操作側部３は、電源キー１４Ａ、テンキーおよび通話キー等を含む操作キー１４と、マイクロホン１３とが内側面に配置され、イヤホンマイク端子１６が右側面に配置される。表示側部２は、液晶表示装置（ＬＣＤ）１５と、レシーバを構成する第１スピーカ１１とが内側面に配置され、第２スピーカ１２が外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２１】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、音声データを処理するためのコーデック部２８と、音声の入出力を切換えるための切換部２９と、それぞれが切換部２９に接続されたイヤホンマイク切換部５０、マイクロホン１３、第１スピーカ１１、第２スピーカ１２、イヤホンマイク端子１６と、ユーザの操作の入力を受付ける操作キー１４と、振動部２６と、ＬＣＤ１５の表示を制御するための表示制御部３０と、制御部２１で実行するプログラム等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、を含む。
【００２２】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして切換部２９に出力する。また、コーデック部２８は、切換部２９を介してマイクロホン１３またはイヤホンマイク端子１６からアナログの音声信号が入力され、音声信号をデジタルに変換し、符号化し、そして符号化した音声信号を無線回路２２に出力する。
【００２３】
切換部２９は、制御部２１により制御され、コーデック部２８への音声信号の入出力を切換える。切換部２９は、コーデック部２８から受け付けた音声信号を、イヤホンマイク切換部５０、第１スピーカ１１および第２スピーカ１２のいずれかに出力する。イヤホンマイク切換部５０は、イヤホンマイク端子１６と接続されている。イヤホンマイク端子１６は、イヤホンマイク６０（図３参照）およびＰＴＴイヤホンマイク７０（図４参照）のいずれのプラグをも装着可能である。
【００２４】
イヤホンマイク切換部５０は、イヤホンマイク端子１６にイヤホンマイクまたはＰＴＴイヤホンマイクのいずれかが接続されているか否か、およびいずれかが接続されている場合には、いずれが接続されているかを判断する。イヤホンマイク切換部５０の詳細については後で説明する。
【００２５】
切換部２９は、イヤホンマイク端子１６にイヤホンマイクまたはＰＴＴイヤホンマイクが接続されている場合には、コーデック部２８から受け付けた音声信号をイヤホンマイク切換部５０を介してイヤホンマイク端子１６に出力する。イヤホンマイク端子１６にイヤホンマイクまたはＰＴＴイヤホンマイクが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００２６】
切換部２９は、マイクロホン１３またはイヤホンマイク切換部５０のいずれかが出力する音声信号をコーデック部２８に出力する。切換部２９は、イヤホンマイク端子１６にイヤホンマイクまたはＰＴＴイヤホンマイクが接続されている場合は、イヤホンマイク切換部５０から受け付けた音声信号をコーデック部２８に出力し、イヤホンマイク端子１６にイヤホンマイクまたはＰＴＴイヤホンマイクが接続されていない場合は、マイクロホン１３から受け付けた音声信号をコーデック部２８に出力する。
【００２７】
表示制御部３０は、制御部２１により制御され、制御部２１から入力される指示に従ってＬＣＤ１５を制御して、ＬＣＤ１５に画像を表示させる。ＬＣＤ１５に表示させる画像は、動画像と静止画像とを含む。
【００２８】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＥＥＰＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ、ＥＥＰＲＯＭなどの半導体メモリ等でもよい。また、携帯電話機１をインターネットに無線回路２２を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム形式のプログラム、圧縮処理されたプログラム、暗号化されたプログラム等を含む。
【００２９】
図３は、イヤホンマイクの回路構成を示すブロック図である。図３を参照して、イヤホンマイク６０は、プラグ６１と、マイクロホン６３と、右イヤホン６５と、左イヤホン６７と、マイクスイッチ６９と、を含む。プラグ６１は、第１〜第４端子７１〜７４を備えている。マイクロホン６３は、第１端子７１および第４端子７４と接続され、右イヤホン６５は、第３端子７３および第４端子７４と接続され、左イヤホン６７は、第二端子７２および第４端子７４と接続される。また、マイクスイッチ６９は、マイクロホン６３と、並列に接続される。
【００３０】
図４は、ＰＴＴイヤホンマイクの回路構成を示すブロック図である。図３に示したイヤホンマイクと同じ部材には同じ符号を付している。図４を参照して、ＰＴＴイヤホンマイク７０は、プラグ６１Ａと、マイクロホン６３と、右イヤホン６５と、左イヤホン６７と、ＰＴＴスイッチ７９と、を含む。プラグ６１Ａは、第１〜第４端子７１〜７４に加えて、第５端子７５を備えている。マイクロホン６３は、第１端子７１および第３端子７３と接続され、右イヤホン６５は、第４端子７４および第３端子７３と接続され、左イヤホン６７は、第２端子７２および第３端子７３と接続される。また、ＰＴＴスイッチ７９は、第５端子７５および第３端子７３と接続されている。
【００３１】
図３および図４を参照して、イヤホンマイク６０のプラグ６１の端子の配列と、ＰＴＴイヤホンマイク７０のプラグ６１Ａとは、第１端子７１から第４端子７４までの形状が同一であるが、ＰＴＴイヤホンマイク７０が第５端子７５を有する点で異なる。また、イヤホンマイク６０のプラグ６１の端子の配列と、ＰＴＴイヤホンマイク７０のプラグ６１Ａの端子の配列とは、第１端子および第２端子が、マイクロホン６３および左イヤホン６７に接続される点で一致するが、第３端子７３と第４端子７４との配置が逆である点で異なる。
【００３２】
図５は、イヤホンマイク端子の構成およびイヤホンマイク切換部の構成を示すブロック図である。図５を参照して、イヤホンマイク端子１６は、第１〜第７接点１６Ａ〜１６Ｇを含む。第１接点１６Ａおよび第７接点１６Ｇは、ＰＴＴイヤホンマイク７０のプラグ６１Ａが挿入された場合に、プラグ６１Ａの第５端子７５によって電気的に接続される。
【００３３】
第２接点１６Ｂは、イヤホンマイク６０またはＰＴＴイヤホンマイク７０のプラグ６１，６１Ａが挿入された場合に、プラグ６１，６１Ａの第４端子７４と電気的に接続される。第３接点１６Ｃは、イヤホンマイク６０またはＰＴＴイヤホンマイク７０のプラグ６１，６１Ａが挿入された場合に、プラグ６１，６１Ａの第３端子７３と電気的に接続される。第４接点１６Ｄおよび第５接点Ｅは、イヤホンマイク６０またはＰＴＴイヤホンマイク７０のプラグ６１，６１Ａが挿入された場合に、プラグ６１，６１Ａの第１端子７１と電気的に接続される。第６接点１６Ｆは、イヤホンマイク６０またはＰＴＴイヤホンマイク７０のプラグ６１，６１Ａが挿入された場合に、プラグ６１，６１Ａの第２端子７２と電気的に接続される。
【００３４】
イヤホンマイク切換部５０は、第１ＰＴＴボタン検出部１０１と、切換スイッチ１１１と、第１スイッチ１１３と、第２スイッチ１１５と、第１マイク検出部１２１と、第２マイク検出部１３１と、第２ＰＴＴボタン検出部１３３と、第３スイッチ１３５と、切換制御部１４１と、を含む。
【００３５】
第１ＰＴＴボタン検出部１０１は、電源１０３と、抵抗１０５と、電流計１０７とを備える。第１ＰＴＴボタン検出部１０１は、イヤホンマイク端子１６の第１接点１６Ａと接続され、抵抗１０５および電流計１０７とは、第１接点１６Ａと電源１０３との間に直列に配列される。第１ＰＴＴボタン検出部１０１は、電流計１０７により計測された電流値を切換制御部１４１に出力する。
【００３６】
切換スイッチ１１１は、接点１１１Ａ，１１１Ｂ，１１１Ｃを含む。接点１１１Ｃは、切換部２９の右イヤホン信号（Ｒ信号）の出力端子と接続される。接点１１１Ａはイヤホンマイク端子１６の第２接点１６Ｂと接続され、接点１１１Ｂはイヤホンマイク端子１６の第３接点１６Ｃと接続される。切換スイッチ１１１は、切換制御部１４１により制御され、接点１１１Ｃを、接点１１１Ａ，１１１Ｂのいずれかに接続する状態と、接点１１１Ａ，１１１Ｂのいずれにも接続しない状態（オープン）との３の状態のいずれかに切換える。
【００３７】
第１スイッチ１１３は、一端がイヤホンマイク端子１６の第２接点１６Ｂと接続され、他端が接地される。第１スイッチ１１３は、切換制御部１４１により制御され、ＯＮに切り換えられた場合にイヤホンマイク端子１６の第２接点１６Ｂを接地する状態となり、ＯＦＦに切り換えられた場合にイヤホンマイク端子１６の第２接点１６Ｂを接地しない状態となる。
【００３８】
第２スイッチ１１５は、一端がイヤホンマイク端子１６の第３接点１６Ｃと接続され、他端が接地される。第２スイッチ１１５は、切換制御部１４１により制御され、ＯＮに切り換えられるとイヤホンマイク端子１６の第３接点１６Ｃを接地する状態となり、ＯＦＦに切り換えられるとイヤホンマイク端子１６の第３接点１６Ｃを接地しない状態となる。
【００３９】
第１マイク検出部１２１は、電源１２３と、抵抗１２５と、電流計１２７とを備える。第１マイク検出部１２１は、電流計１２７がイヤホンマイク端子１６の第４接点１６Ｄと接続され、抵抗１２５および電流計１２７は、第４接点１６Ｄと電源１２３との間に直列に配列される。第１マイク検出部１２１は、電流計１２７により計測された電流値を切換制御部１４１に出力する。
【００４０】
第３スイッチ１３５は、一端がイヤホンマイク端子１６の第４接点１６Ｄと接続され、他端が切換部２９のマイク信号の入力端子と接続される。第３スイッチ１３５は、切換制御部１４１により制御され、ＯＮに切り換えられるとイヤホンマイク端子１６の第４接点１６Ｄと切換部２９のマイク信号の入力端子とを接続する状態となり、ＯＦＦに切り換えられるとイヤホンマイク端子１６の第４接点１６Ｄと切換部２９のマイク信号の入力端子とを接続しない状態となる。
【００４１】
第２マイク検出部１３１は、イヤホンマイク端子１６の第５接点１６Ｅと接続され、第５接点１６Ｅにおける電圧を検出する。第２マイク検出部１３１は、検出した電圧を切換制御部１４１に出力する。
【００４２】
第２ＰＴＴボタン検出部１３３は、イヤホンマイク端子１６の第７接点１６Ｇと接続され、第７接点１６Ｇにおける電圧を検出する。第２ＰＴＴボタン検出部１３３は、検出した電圧を切換制御部１４１に出力する。
【００４３】
切換制御部１４１は、イヤホンマイク端子１６の第６接点１６Ｆを切換部２９の左イヤホン信号（Ｌ信号）の出力端子と接続する。さらに、切換制御部１４１は、切換スイッチ１１１、第１スイッチ１１３、第２スイッチ１１５および第３スイッチ１３５を切換える。具体的には、初期状態において、切換スイッチ１１１の接点１１１Ｃを接点１１１Ａ，１１１Ｂのいずれにも接続しないオープンの状態に切り換え、第１スイッチ１１３および第２スイッチ１１５をＯＮに設定する。これにより、イヤホンマイク端子の第２接点１６Ｂおよび第３接点１６Ｃが接地される。ＰＴＴイヤホンマイク７０またはイヤホンマイク６０がイヤホンマイク端子１６に挿入された場合に、右イヤホン６５に接続される端子をすべて接地するので、右イヤホン６５に電流が流れることがない。このため、右イヤホン６５が故障するのを防止することができる。
【００４４】
第１マイク検出部１２１がイヤホンマイク端子の第４接点１６Ｄに接続されるので、第４接点１６Ｄに所定の電圧が印加される。また、第１ＰＴＴボタン検出部１０１は、イヤホンマイク端子１６の第１接点１６Ａに接続されるので、第１接点１６Ａに所定の電圧が印加される。
【００４５】
図６は、切換制御部における検出状態を示す図である。図６は、第２ＰＴＴボタン検出部１３３、第１ＰＴＴボタン検出部１０１、第２マイク検出部１３１および第１マイク検出部１２１それぞれにおける検出状態を、イヤホンマイク端子１６の接続状態別に示している。イヤホンマイク端子１６の接続状態は、何も接続されていない状態、ＰＴＴスイッチ７９がＯＦＦ（オープン）のＰＴＴイヤホンマイク７０が接続された状態、ＰＴＴスイッチ７９がＯＮのＰＴＴイヤホンマイク７０が接続された状態、マイクスイッチ６９がＯＦＦ（オープン）のイヤホンマイク６０が接続された状態、マイクスイッチ６９がＯＮのイヤホンマイク６０が接続された状態の５つである。図中「Ｌ」は、検出される電圧が所定の値よりも低いことを示し、「Ｈ」は検出される電圧が所定の値よりも高いことを示す。また、図中「あり」は検出される電流が所定の値よりも大きいことを示し、「なし」は検出される電流が所定の値よりも小さいことを示す。
【００４６】
図５および図６を参照して、イヤホンマイク端子１６に何も挿入されていない場合、イヤホンマイク端子１６の第１接点１６Ａと第７接点１６Ｇとは電気的に接続されないので、第７接点１６Ｇに電圧は印加されない。このため、第２ＰＴＴボタン検出部１３３は、所定の値よりも小さい電圧を検出し、「Ｌ」の状態となる。また、第１ＰＴＴボタン検出部１０１は、電流計１０７に電流が流れないので、所定の値よりも小さい電流を検出し、「なし」の状態となる。
【００４７】
さらに、イヤホンマイク端子１６の第４接点１６Ｄと第５接点１６Ｅとは電気的に接続されないので、第２マイク検出部１３１は所定の値よりも小さい電圧を検出し、「Ｌ」の状態となる。また、第１マイク検出部１２１は、電流計１２７に電流が流れないので、所定の値よりも小さい電流を検出し、「なし」の状態となる。
【００４８】
イヤホンマイク端子１６にＰＴＴイヤホンマイク７０が挿入される場合、イヤホンマイク端子１６の第１接点１６Ａと第７接点１６Ｇとが電気的に接続される。ＰＴＴイヤホンマイク７０のＰＴＴスイッチ７９がＯＦＦの場合、第７接点１６Ｇに第１接点１６Ａに印加されるのと同じ電圧が印加され、第２ＰＴＴボタン検出部１３３は所定の値よりも大きい電圧を検出し、「Ｈ」の状態となる。また、第１ＰＴＴボタン検出部１０１は、電流計１０７に電流が流れないので、所定の値よりも大きい電流を検出することなく、「なし」の状態となる。
【００４９】
一方、ＰＴＴイヤホンマイク７０のＰＴＴスイッチ７９がＯＮの場合、第７接点１６Ｇは第３接点１６Ｃと電気的に接続される。第３接点１６Ｃは第２スイッチ１１５により接地されるので、第７接点１６Ｇも接地され、第２ＰＴＴボタン検出部１３３は所定の値よりも小さい電圧を検出し、「Ｌ」の状態となる。第１ＰＴＴボタン検出部１０１は、電流計１０７に電流が流れるので、所定の値よりも大きい電流を検出し、「あり」の状態となる。
【００５０】
また、イヤホンマイク端子１６にイヤホンマイク６０が挿入される場合、イヤホンマイク端子１６の第１接点１６Ａと第７接点１６Ｇとは電気的に接続されない。このため、第２ＰＴＴボタン検出部１３３は所定の値よりも小さい電圧を検出し、「Ｌ」の状態となる。また、第１ＰＴＴボタン検出部１０１は、電流計１０７に電流が流れないので、所定の値よりも大きい電流を検出することなく、「なし」の状態となる。
【００５１】
したがって、切換制御部１４１は、第２ＰＴＴボタン検出部１３３が「Ｈ」の状態となるのを検出すると、ＰＴＴスイッチ７９がＯＦＦのＰＴＴイヤホンマイク７０が接続されたと判断し、第１ＰＴＴボタン検出部１０１が「あり」の状態となるのを検出すると、ＰＴＴスイッチ７９がＯＮのＰＴＴイヤホンマイク７０が接続されたと判断する。
【００５２】
切換制御部１４１は、ＰＴＴイヤホンマイク７０が接続されたと判断する場合、換言すれば、第２ＰＴＴボタン検出部１３３が「Ｈ」の状態となるのを検出する場合、または、第１ＰＴＴボタン検出部１０１が「あり」の状態となるのを検出する場合、切換スイッチ１１１の接点１１１Ｃと接点１１１Ａとを接続する第２接点１６Ｂ側に切り換え、第１スイッチ１１３をＯＦＦに切り換え、第２スイッチ１１５をＯＮに切り換え、第３スイッチ１３５をＯＮに切り換える。これにより、ＰＴＴイヤホンマイク７０のプラグ６１Ａの第１端子７１が切換部２９のマイク信号入力に接続され、第２端子７２が切換部２９のＬ信号出力端子に接続され、第３端子７３が接地され、第４端子７４が切換部２９のＲ信号出力端子に接続される。
【００５３】
イヤホンマイク端子１６にＰＴＴイヤホンマイク７０またはイヤホンマイク６０が挿入される場合、イヤホンマイク端子１６の第４接点１６Ｄと第５接点１６Ｅとが電気的に接続される。ＰＴＴイヤホンマイク７０のプラグ６１Ａが挿入される場合、第５接点１６Ｅはマイクロホン６３を介して第３接点１６Ｃと電気的に接続される。マイクスイッチ６９がＯＦＦのイヤホンマイク６０のプラグ６１が挿入される場合、第５接点１６Ｅはマイクロホン６３を介して第２接点１６Ｂと電気的に接続される。第３接点１６Ｃおよび第２接点１６Ｂは第２スイッチ１１５および第１スイッチ１１３によりそれぞれ接地されるので、第２マイク検出部１３１は第５接点１６Ｅに所定の値よりも大きい電圧を検出し、「Ｈ」の状態となる。第１マイク検出部１２１は、電流計１２７に電流が流れるが、所定の値よりも小さい電流を検出し、「なし」の状態となる。
【００５４】
一方、マイクスイッチ６９がＯＮのイヤホンマイク６０のプラグ６１が挿入される場合、第５接点１６Ｅは第２接点１６Ｂと電気的に接続される。第２接点１６Ｂは第１スイッチ１１３により接地されるので、第５接点１６Ｅも接地され、第２マイク検出部１３１は所定の値よりも小さい電圧を検出し、「Ｌ」の状態となるが、第１マイク検出部１２１は、電流計１２７に電流が流れるので、所定の値よりも大きい電流を検出し、「あり」の状態となる。
【００５５】
したがって、切換制御部１４１は、第１ＰＴＴボタン検出部１０１および第２ＰＴＴボタン検出部１３３のいずれにおいてもＰＴＴイヤホンマイク７０が検出されず、第２マイク検出部１３１で「Ｈ」の状態が検出されると、マイクスイッチ６９がＯＦＦのイヤホンマイク６０が接続されたと判断し、第１マイク検出部１２１により「あり」の状態が検出されると、マイクスイッチ６９がＯＮのイヤホンマイク６０が接続されたと判断する。
【００５６】
切換制御部１４１は、イヤホンマイク６０が接続されたと判断する場合、換言すれば、第１ＰＴＴボタン検出部１０１または第２ＰＴＴボタン検出部１３３のいずれによってもＰＴＴイヤホンマイク７０が検出されず、第２マイク検出部１３１が「Ｈ」の状態となるのを検出する場合、または、第１マイク検出部１２１が「あり」の状態となるのを検出する場合、切換スイッチ１１１の接点１１１Ｃと接点１１１Ｂとを接続する第３接点１６Ｃ側に切り換え、第１スイッチ１１３をＯＮに切り換え、第２スイッチ１１５をＯＦＦに切り換え、第３スイッチ１３５をＯＮに切り換える。これにより、イヤホンマイク６０のプラグ６１の第１端子７１が切換部２９のマイク信号入力に接続され、第２端子７２が切換部２９のＬ信号出力端子に接続され、第３端子７３が切換部２９のＲ信号出力端子に接続され、第４端子７４が接地される。
【００５７】
次に、切換制御部の動作について説明する。図７は、切換制御処理の流れの一例を示すフローチャートである。切換制御処理は、切換制御部１４１が切換制御プログラムを実行することにより切換制御部１４１により実行される処理である。まず、切換制御部１４１は、切換スイッチ１１１、第１スイッチ１１３および第２スイッチ１１５を初期状態に設定する（ステップＳ０１）。具体的には、切換スイッチ１１１を、接点１１１Ｃが接点１１１Ａ，１１１Ｂのいずれとも接続されないオープンの状態に切換え、第１スイッチ１１３および第２スイッチ１１５をＯＮに設定する。これにより、イヤホンマイク端子の第２接点１６Ｂおよび第３接点１６Ｃが接地され、イヤホンマイク端子の第４接点１６Ｄに所定の電圧が印加される。また、第１ＰＴＴボタン検出部１０１は、イヤホンマイク端子１６の第１接点１６Ａに接続されるので、第１接点１６Ａに所定の電圧が印加される。
【００５８】
次のステップＳ０２においては、第７接点１６Ｇの電圧がしきい値Ｖ１より大きいか否かを判断する。第７接点１６Ｇの電圧がしきい値Ｖ１より大きければ処理をステップＳ０６に進め、そうでなければ処理をステップＳ０３に進める。ＰＴＴスイッチ７９がＯＮのＰＴＴイヤホンマイク７０が挿入される場合、第７接点１６Ｇは第３接点１６Ｃと電気的に接続されて接地され、イヤホンマイク６０が挿入される場合、第７接点１６Ｇはいずれの接点とも電気的に接続されない。したがって、ＰＴＴスイッチ７９がＯＦＦのＰＴＴイヤホンマイク７０が接続される場合だけ、第７接点１６Ｇの電圧がしきい値Ｖ１よりも大きくなる。
【００５９】
ステップＳ０３においては、第１接点１６Ａの電流がしきい値Ｉ１より大きいか否かを判断する。第１接点１６Ａの電流がしきい値Ｉ１より大きければ処理をステップＳ０６に進め、そうでなければ処理をステップＳ０４に進める。ＰＴＴスイッチ７９がＯＦＦのＰＴＴイヤホンマイク７０が挿入される場合、ＰＴＴスイッチ７９により回路が開くので、第１接点１６Ａに電流は流れず、イヤホンマイク６０が挿入される場合、第１接点１６Ａに電流は流れない。ＰＴＴスイッチ７９がＯＮのＰＴＴイヤホンマイク７０が接続される場合だけ、第１接点１６Ａに流れる電流がしきい値Ｉ１の値より大きくなる。
【００６０】
ステップＳ０４においては、第５接点１６Ｅの電圧がしきい値Ｖ２より大きいか否かを判断する。第５接点１６Ｅの電圧がしきい値Ｖ２より大きければ処理をステップＳ０８に進め、そうでなければ処理をステップＳ０５に進める。マイクスイッチ６９がＯＮのイヤホンマイク６０が接続される場合、第５接点１６Ｅは、第２接点１６Ｂと電気的に接続されて接地されるが、ＰＴＴイヤホンマイク７０またはマイクスイッチ６９がＯＦＦのイヤホンマイク６０が接続される場合、第５接点１６Ｅの電圧が第４接点１６Ｄと同じになる。
【００６１】
ステップＳ０５においては、第４接点１６Ｄの電流がしきい値Ｉ２より大きいか否かを判断する。第４接点１６Ｄの電流がしきい値Ｉ２より大きければ処理をステップＳ０８に進め、そうでなければ処理をステップＳ０２に戻す。処理をステップＳ０２に戻す場合は、イヤホンマイク端子１６に何も挿入されていない場合である。マイクスイッチ６９がＯＦＦのイヤホンマイク６０またはＰＴＴイヤホンマイク７０が挿入される場合、第４接点１６Ｄはマイクロホン６３と接続されるので、第１接点１６Ａにしきい値Ｉ２を超える電流は流れず、マイクスイッチ６９がＯＮのイヤホンマイク６０が挿入される場合だけ、第１接点１６Ａにしきい値Ｉ２を超える電流は流れる。
【００６２】
ステップＳ０６においては、イヤホンマイク端子１６にＰＴＴイヤホンマイク７０が接続されたと判定し、処理をステップＳ０７に進める。ステップＳ０７においては、切換スイッチ１１１を第２接点１６Ｂ側に切り換え、第１スイッチ１１３をＯＦＦに切り換え、第２スイッチ１１５をＯＮに切り換える。これにより、ＰＴＴイヤホンマイク７０のプラグ６１Ａの第１端子７１が切換部２９のマイク信号入力に接続され、第２端子７２が切換部２９のＬ信号出力端子に接続され、第３端子７３が接地され、第４端子７４が切換部２９のＲ信号出力端子に接続される。また、第３スイッチ１３５をＯＮに切り換える。
【００６３】
ステップＳ０８においては、イヤホンマイク端子１６にイヤホンマイク６０が接続されたと判定し、処理をステップＳ０９に進める。ステップＳ０９においては、切換スイッチ１１１を第３接点１６Ｃ側に切り換え、第１スイッチ１１３をＯＮに切り換え、第２スイッチ１１５をＯＦＦに切り換え、第３スイッチ１３５をＯＮに切り換える。これにより、イヤホンマイク６０のプラグ６１の第１端子７１が切換部２９のマイク信号入力に接続され、第２端子７２が切換部２９のＬ信号出力端子に接続され、第３端子７３が切換部２９のＲ信号出力端子に接続され、第４端子７４が接地される。
【００６４】
以上説明したように、本実施の形態における携帯電話機１は、ＰＴＴイヤホンマイク７０のプラグ６１Ａとイヤホンマイク６０のプラグ６１のいずれがイヤホンマイク端子１６に接続されたかを検出し、検出されたイヤホンマイクの種類に応じて、イヤホンマイク端子１６が有する第２接点１６Ｂと第３接点１６Ｃのいずれか一方を接地する。このため、ＰＴＴイヤホンマイク７０のプラグ６１Ａとイヤホンマイク６０のプラグ６１のいずれをも接続することができる。
【００６５】
また、イヤホンマイク端子１６が有する第１〜第７接点１６Ａ〜１６Ｇのうち第２接点１６Ｂおよび第３接点１６Ｃを接地し、接地しない第１接点１６Ａおよび第４接点１６Ｄに電圧を印加し、第１接点１６Ａおよび第４接点１６Ｄの電流と第５接点１６Ｅおよび第７接点１６Ｇの電圧とを検出する。このため、電圧を検出することによりイヤホンマイクが接続されたことを検出することができ、また、電圧が印加される接点が接地される場合であっても電流を検出することによりイヤホンマイクが接続されたことを検出することができる。また、接地される接点の違いからイヤホンマイクの種類を判別することができる。
【００６６】
また、ＰＴＴのイヤホンマイク７０が接続される場合に右イヤホン６５と接続される第２接点１６Ｂと、イヤホンマイク６０が接続される場合に右イヤホン６５と接続される第３接点１６Ｃとを接地するので、ＰＴＴイヤホンマイク７０およびイヤホンマイク６０それぞれが有する右イヤホン６５に電流が流れないようにして、右イヤホン６５が故障するのを防止することができる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６８】
＜付記＞
（１）  前記電圧印加手段は、前記複数の接点のうち、前記第１の種類のイヤホンマイクのプラグが有し、前記第２の種類のイヤホンマイクのプラグが有しない接点と接続される接点に電圧を印加する、請求項２、３、５または６のいずれかに記載の電子機器。
（２）  前記電圧印加手段は、前記複数の接点のうち前記第１の種類のイヤホンマイクおよび前記第２の種類のイヤホンマイクそれぞれのマイクが接続される接点に電圧を印加する、請求項２、３、５または６のいずれかに記載の電子機器。
【図面の簡単な説明】
【００６９】
【図１】本発明の実施の形態の一つにおける携帯電話機の外観を示す斜視図である。
【図２】本実施の形態における携帯電話機の分解斜視図である。
【図３】イヤホンマイクの回路構成を示すブロック図である。
【図４】ＰＴＴイヤホンマイクの回路構成を示すブロック図である。
【図５】イヤホンマイク端子の構成およびイヤホンマイク切換部の構成を示すブロック図である。
【図６】切換制御部における検出状態を示す図である。
【図７】切換制御処理の流れの一例を示すフローチャートである。
【符号の説明】
【００７０】
１  携帯電話機、２  表示側部、３  操作側部、１１  第１スピーカ、１２  第２スピーカ、１３  マイクロホン、１４  操作キー、１４Ａ  電源キー、１６  イヤホンマイク端子、２１  制御部、２２  無線回路、２２Ａ  アンテナ、２６  振動部、２７  カードＩ／Ｆ、２７Ａ  フラッシュメモリ、２８  コーデック部、２９  切換部、３０  表示制御部、５０  イヤホンマイク切換部、６０  イヤホンマイク、６１，６１Ａ  プラグ、６３  マイクロホン、６５  右イヤホン、６７  左イヤホン、６９  マイクスイッチ、７０  イヤホンマイク、７９  ＰＴＴスイッチ、１０１  第１ＰＴＴボタン検出部、１１１  切換スイッチ、１１１  切換スイッチ、１１３  第１スイッチ、１１５  第２スイッチ、１２１  第１マイク検出部、１３１  第２マイク検出部、１３３  第２ＰＴＴボタン検出部、１３５  第３スイッチ、１４１  切換制御部。
【図１】
0004526571.tif 000002
【図２】
0004526571.tif 000003
【図３】
0004526571.tif 000004
【図４】
0004526571.tif 000005
【図５】
0004526571.tif 000006
【図６】
0004526571.tif 000007
【図７】
0004526571.tif 000008